(57)【要約】【課題】たとえ複数本の入線を行えない端子が設けられた主幹ブレーカが採用されたとしても、１つの端子に複数本の入線を行う必要がある電気機器を容易に備えることができる分電盤を提供する。【解決手段】主幹ブレーカ設置部６を構成する設置板の前縁に、前方へ突出する取付片２０を設ける一方、取付片２０を上下から挟持可能な挟持溝４９を備えたケース部材２２に、主幹ブレーカ３の入力端子１５に接続可能な接続部５１と、ケーブル１３及び引き込み線１４を接続可能な端子部４６とを有する端子金具２３を保持させてなる端子台２１を設け、挟持溝４９により主幹ブレーカ設置部６に取り付けられた端子台２１を介して、主幹ブレーカ３の入力端子１５とケーブル１３及び引き込み線１４とを接続するようにした。【選択図】図１
2020054102.tif 000002
【特許請求の範囲】
【請求項１】
基台と、前記基台の上方を覆うように組み付けられる蓋体とを有する本体ケース内に、商用電力系統からの引き込み線が一次側に接続される主幹ブレーカと、前記主幹ブレーカの二次側に接続され、各負荷への分岐電路を開閉する複数の分岐ブレーカとが備えられており、
前記主幹ブレーカの端子に、電路を構成する第１のケーブルと、電気機器から延びる第２のケーブルとが接続される分電盤であって、
前記基台に、前記基台の底面よりも上方へ浮いた設置板を有し、当該設置板の上面に前記主幹ブレーカを前記一次側が前方又は後方を向く姿勢で設置可能とされた主幹ブレーカ設置部が設けられているとともに、前記設置板の前縁及び／又は後縁に、前後外方へ突出する取付片が設けられている一方、
前記取付片を上下から挟持可能な挟持部を備えたケース部材に、前記主幹ブレーカの端子に接続可能な接続部と、前記第１のケーブル及び前記第２のケーブルを接続可能な端子部とを有する端子金具を保持させてなる端子台を設け、前記挟持部により前記主幹ブレーカ設置部に取り付けられた前記端子台を介して、前記主幹ブレーカの端子と前記第１のケーブル及び前記第２のケーブルとが接続されていることを特徴とする分電盤。
【請求項２】
前記ケース部材に、前記挟持部により前記取付片を挟持させた際、前記設置板の下側まで突出して前記設置板の下面に当接する支持壁が設けられていることを特徴とする請求項１に記載の分電盤。
【請求項３】
前記設置板に、前記設置板よりも小型の主幹ブレーカが設置され、当該小型の主幹ブレーカの周面と前記設置板の前縁及び／又は後縁との間に前記設置板が露出している場合には、
前記取付片に代えて、前記設置板の露出箇所を前記挟持部により挟持させることで、前記端子台を前記主幹ブレーカ設置部に取付可能としたことを特徴とする請求項１又は２に記載の分電盤。
【発明の詳細な説明】
【技術分野】
【０００１】
本発明は、主幹ブレーカや分岐ブレーカを内蔵する分電盤に関するものである。
【背景技術】
【０００２】
従来周知の分電盤としては、たとえば地震等による揺れを感知すると擬似漏電を発生させる感震リレーを備えた感震遮断機能付分電盤がある（たとえば特許文献１）。そして、そのような感震遮断機能付分電盤を構成するにあたっては、感震リレーを備えるために、主幹ブレーカの一次側に設けられている１つの入力端子に対して、擬似漏電電線を加えた２本の入線を行う必要がある。
【先行技術文献】
【特許文献】
【０００３】
【特許文献１】特開平９−２１５１７８号公報
【発明の概要】
【発明が解決しようとする課題】
【０００４】
しかしながら、たとえば主幹ブレーカとしてＪＩＳ互換性寸法のブレーカ等を採用しようとすると、主幹ブレーカの入力端子としてソルダレス端子等の複数本の入線を行えない入力端子が用いられていることがあり、感震リレー等の電気機器を備えられない、若しくは、電気機器を備えるために複雑な構造が必要になるという問題があった。
【０００５】
そこで、本発明は、上記問題に鑑みなされたものであって、たとえ複数本の入線を行えない端子が設けられた主幹ブレーカが採用されたとしても、１つの端子に複数本の入線を行う必要がある電気機器を容易に備えることができる分電盤を提供しようとするものである。
【課題を解決するための手段】
【０００６】
上記目的を達成するために、本発明のうち請求項１に記載の発明は、基台と、前記基台の上方を覆うように組み付けられる蓋体とを有する本体ケース内に、商用電力系統からの引き込み線が一次側に接続される主幹ブレーカと、前記主幹ブレーカの二次側に接続され、各負荷への分岐電路を開閉する複数の分岐ブレーカとが備えられており、前記主幹ブレーカの端子に、電路を構成する第１のケーブルと、電気機器から延びる第２のケーブルとが接続される分電盤であって、前記基台に、前記基台の底面よりも上方へ浮いた設置板を有し、当該設置板の上面に前記主幹ブレーカを前記一次側が前方又は後方を向く姿勢で設置可能とされた主幹ブレーカ設置部が設けられているとともに、前記設置板の前縁及び／又は後縁に、前後外方へ突出する取付片が設けられている一方、前記取付片を上下から挟持可能な挟持部を備えたケース部材に、前記主幹ブレーカの端子に接続可能な接続部と、前記第１のケーブル及び前記第２のケーブルを接続可能な端子部とを有する端子金具を保持させてなる端子台を設け、前記挟持部により前記主幹ブレーカ設置部に取り付けられた前記端子台を介して、前記主幹ブレーカの端子と前記第１のケーブル及び前記第２のケーブルとが接続されていることを特徴とする。
請求項２に記載の発明は、請求項１に記載の発明において、前記ケース部材に、前記挟持部により前記取付片を挟持させた際、前記設置板の下側まで突出して前記設置板の下面に当接する支持壁が設けられていることを特徴とする。
請求項３に記載の発明は、請求項１又は２に記載の発明において、前記設置板に、前記設置板よりも小型の主幹ブレーカが設置され、当該小型の主幹ブレーカの周面と前記設置板の前縁及び／又は後縁との間に前記設置板が露出している場合には、前記取付片に代えて、前記設置板の露出箇所を前記挟持部により挟持させることで、前記端子台を前記主幹ブレーカ設置部に取付可能としたことを特徴とする。
【発明の効果】
【０００７】
本発明によれば、本体ケースの基台に、基台の底面よりも上方へ浮いた設置板を有し、当該設置板の上面に主幹ブレーカを一次側が前方又は後方を向く姿勢で設置可能とされた主幹ブレーカ設置部を設けるとともに、設置板の前縁及び／又は後縁に、前後外方へ突出する取付片を設けた。一方、取付片を上下から挟持可能な挟持部を備えたケース部材に、主幹ブレーカの端子に接続可能な接続部と、第１のケーブル及び第２のケーブルを接続可能な端子部とを有する端子金具を保持させてなる端子台を設けた。そして、挟持部により主幹ブレーカ設置部に取り付けられた端子台を介して、主幹ブレーカの端子と第１のケーブル及び第２のケーブルとを接続するようにした。したがって、たとえば端子として複数本の入線が行えないソルダレス端子が設けられたＪＩＳ互換性寸法のブレーカ等が主幹ブレーカとして設置されたとしても、感震リレー等の電気機器を容易且つ好適に備えることができる。さらに、挟持部により取付片を挟持させるだけで主幹ブレーカ設置部に端子台を取り付けることができるため、分電盤の設置に係る作業を非常に容易に行うことができる。
また、請求項２に記載の発明によれば、ケース部材に、挟持部により取付片を挟持させた際、設置板の下側まで突出して設置板の下面に当接する支持壁を設けた。したがって、端子台の主幹ブレーカ設置部への取付状態が安定し、端子部に第１のケーブル及び第２のケーブルを接続する際、端子台が主幹ブレーカ設置部から外れるような事態や、支持壁が壊損するような事態が起こりにくい。
さらに、請求項３に記載の発明によれば、設置板に小型の主幹ブレーカが設置され、当該小型の主幹ブレーカの周面と設置板の前縁及び／又は後縁との間に設置板が露出している場合には、取付片に代えて、設置板の露出箇所を挟持部により挟持させることで、端子台を主幹ブレーカ設置部に取付可能とした。そのため、たとえばＪＩＳ互換性寸法の単相三線式ブレーカに対応した主幹ブレーカ設置部であったとして、当該主幹ブレーカ設置部に小型のＪＩＳ互換性寸法の単相二線式ブレーカを設置した際にも、端子台を利用して主幹ブレーカの端子と第１のケーブル及び第２のケーブルとを接続することができる。すなわち、端子台の汎用性が高く、種々の主幹ブレーカに対応可能とすることができる。
【図面の簡単な説明】
【０００８】
【図１】蓋体が取り外され、主幹ブレーカが設置された状態にある分電盤１を示した斜視説明図である。
【図２】主幹ブレーカが設置された状態において端子台が取り外された状態にある基台を示した斜視説明図である。
【図３】基台を上側から示した斜視説明図である。
【図４】端子台を示した斜視説明図である。
【図５】端子台を示した説明図であり、（ａ）は上側から、（ｂ）は前側から、（ｃ）は右側から夫々示している。
【図６】端子台を分解した状態を示した斜視説明図である。
【図７】取付片に取り付けられた端子台位置での断面を示した説明図である。
【図８】蓋体が取り外され、小型の主幹ブレーカが設置された状態にある分電盤を示した斜視説明図である。
【図９】小型の主幹ブレーカが設置された状態において端子台が取り外された状態にある基台を示した斜視説明図である。
【発明を実施するための形態】
【０００９】
以下、本発明の一実施形態となる分電盤について、図面にもとづき詳細に説明する。
図１は、蓋体が取り外され、主幹ブレーカ３が設置された状態にある分電盤１を示した斜視説明図である。図２は、主幹ブレーカ３が設置された状態において端子台２１が取り外された状態にある基台２を示した斜視説明図である。図３は、基台２を上側から示した斜視説明図である。図４は、端子台２１を示した斜視説明図である。図５は、端子台２１を示した説明図であり、（ａ）は上側から、（ｂ）は前側から、（ｃ）は右側から夫々示している。図６は、端子台２１を分解した状態を示した斜視説明図である。図７は、取付片２０に取り付けられた端子台２１位置での断面を示した説明図である。図８は、蓋体が取り外され、主幹ブレーカ３０が設置された状態にある分電盤１を示した斜視説明図である。図９は、主幹ブレーカ３０が設置された状態において端子台２１が取り外された状態にある基台２を示した斜視説明図である。
【００１０】
分電盤１は、基台２と、基台２の上方を覆うように組み付けられる蓋体（図示せず）とからなる本体ケースを有するものであって、本体ケース内には、商用電力系統からの引き込み線が一次側に接続される主幹ブレーカ３（若しくは主幹ブレーカ３０）、主幹ブレーカ３（若しくは主幹ブレーカ３０）の二次側に接続され、電灯や電気機器等の負荷に電力を供給する分岐電路を開閉する複数の分岐ブレーカ４、４・・、及び地震を感知すると擬似漏電を発生させるための感震リレー５等が収容される。
【００１１】
基台２は、絶縁性を有する合成樹脂を上方に開口する略方形箱状に形成してなるものであって、上方から見て中央左寄りには、主幹ブレーカ３（若しくは主幹ブレーカ３０）を設置するための主幹ブレーカ設置部６が設けられている。主幹ブレーカ設置部６は、基台２の底面を上方に曲げ起こしてなり、左右で対向状に上方へ突出する一対の脚片７、７と、脚片７、７の先端同士を連結するように配され、底面よりも上方へ浮いている正面視矩形の設置板８とを有する。設置板８の大きさは、所謂ＪＩＳ互換性寸法の単相三線式ブレーカと略同じ大きさとされている。そして、当該設置板８の前縁における右端となる箇所に、後述する端子台２１を取付可能な取付片２０が設けられている。一方、上方から見て主幹ブレーカ設置部６の右隣には、分岐ブレーカ４、４・・及び感震リレー５を設置するための機器設置部９が設けられている。なお、１０は、主幹ブレーカ３（若しくは主幹ブレーカ３０）及び分岐ブレーカ４、４・・の後方に配される導電バー（図示せず）の更に後方を覆うための被覆壁であり、１１は、導電バーの上方を覆うカバー体である。また、取付片２０の上下方向での厚みは、主幹ブレーカ設置部６の設置板８の厚みと略同じとされている。
【００１２】
そして、分電盤１では、主幹ブレーカ設置部６の設置板８に、ＪＩＳ互換性寸法の単相三線式ブレーカである主幹ブレーカ３（若しくはＪＩＳ互換性寸法の単相二線式ブレーカである主幹ブレーカ３０）が、一次側が取付片２０側（ここでは前側）を向く姿勢で設置されるとともに、機器設置部９に分岐ブレーカ４、４・・及び感震リレー５が設置される。また、感震リレー５を機能させるために、感震リレー５から延びるケーブル（擬似漏電電線）１３が、主幹ブレーカ３（若しくは主幹ブレーカ３０）の一次側における入力端子１５（若しくは入力端子３５）に接続される。ただ、当該入力端子１５（若しくは入力端子３５）には、商用電力系統からの引き込み線１４も接続しなければならない。しかしながら、主幹ブレーカ３（若しくは主幹ブレーカ３０）はＪＩＳ互換性寸法のブレーカであるため、入力端子１５（若しくは入力端子３５）は所謂ソルダレス端子として構成されており、複数本の入線を行うことができない。そこで、本発明では、入力端子１５（若しくは入力端子３５）に端子台２１を取り付け、該端子台２１を介して、ケーブル１３及び引き込み線１４と入力端子１５（若しくは入力端子３５）とを接続する。
【００１３】
ここで、本発明の要部となる端子台２１について詳述する。
端子台２１は、合成樹脂製のケース部材２２と、ケーブル１３及び引き込み線１４と入力端子１５（若しくは入力端子３５）とを電気的に接続するための端子金具２３と、端子金具２３にケーブル１３及び引き込み線１４を接続するためのワッシャー付きのネジ２４と、後述する端子部４６の上方を覆うカバー２５とを備えてなる。
【００１４】
ケース部材２２は、上下方向に長い左右一対の側壁４１、４１を有しており、側壁４１、４１で挟まれたスペースは、上下方向での略中央で側壁４１、４１間に架設された載置板４２によって仕切られている。そして、載置板４２よりも上側のスペースは、前方、上方、及び後方に開口しており、上方の開口はネジ２４をねじ込むための開口となり、後方の開口は端子金具２３を差し込むための開口となり、前方の開口はケーブル１３及び引き込み線１４を差し込むための開口となっている。また、載置板４２の上面前縁には第１の規制突起４３、４３が、上面後縁の左右隅部には第２の規制突起４４、４４が夫々設けられている。さらに、各側壁４１の対向側の面で、載置板４２の上面から端子金具２３の厚み分だけ上方となる位置には、左右内側へ突出する規制リブ４５が側壁４１の前縁から後方へ延設されている。そして、載置板４２の上面側で、第１の規制突起４３、４３、第２の規制突起４４、４４、及び規制リブ４５、４５に囲まれる空間が、端子金具２３の端子部４６の設置空間となり、第１の規制突起４３、４３により端子金具２３の前方への移動が、第２の規制突起４４、４４により端子金具２３の後方への移動が、規制リブ４５、４５により端子金具２３の上方への移動が夫々規制される。なお、各規制リブ４５の下面後部は、後方へ向かって薄肉となる傾斜面４５ａとされており、設置空間内への端子部４６の差し込みを容易としている。また、各側壁４１の上端には、カバー２５を係止するための係止爪４７が設けられている。さらに、載置板４２には、ネジ２４の先端を載置板４２よりも下側へ突出させるための溝４８が設けられている。
【００１５】
また、載置板４２の下側には、突出するネジ２４の先端が入り込み可能な空間が設けられているとともに、当該空間の更に下方に、端子台２１を取付片２０に取り付けるための構造として挟持溝４９及び支持壁５０が設けられている。すなわち、側壁４１、４１の後端同士が連結されて後面が形成されているとともに、側壁４１、４１及び後面の下部に、前方へ湾曲するＵ字状に成形されることで取付片２０を上下から挟持可能な挟持溝４９が設けられている。また、挟持溝４９よりも下側に、側壁４１、４１の後端よりも後方へ突出された支持壁５０が設けられている。なお、挟持溝４９の開口幅（上下方向での開口幅）は、取付片２０の厚みよりも僅かに狭くなっている。また、挟持溝４９の前後方向での深さは、取付片２０の前後方向長さと略同じとされている。
【００１６】
一方、端子金具２３は、側壁４１、４１間へ差し込み可能な左右幅とされた上面視矩形の端子部４６と、端子部４６から後方へ突設された棒状に形成され、入力端子１５（及び入力端子３５）に差し込み接続可能な接続部５１とを一体的に備えてなる。また、端子部４６の中央には、ネジ２４を螺入可能なネジ孔５２が穿設されている。
【００１７】
上記端子台２１の組み立て作業、及び端子台２１を利用した感震リレー５の接続作業（主幹ブレーカの一次側への接続作業）について説明すると、まずケース部材２２の後方から端子金具２３の端子部４６を側壁４１、４１間に差し込んで、第１の規制突起４３、４３、第２の規制突起４４、４４、及び規制リブ４５、４５に囲まれる空間に設置し、端子台２１を仮組する。当該仮組状態にあっては、端子金具２３の接続部５１は側壁４１、４１の後端よりも後方へ突出している。そして、主幹ブレーカ設置部６に主幹ブレーカ３が設置されていると、挟持溝４９により取付片２０を挟持させつつ、接続部５１を取付片２０の前方に位置する入力端子１５に差し込んで接続することにより、仮組状態にある端子台２１を主幹ブレーカ設置部６に取り付ける。その後、ネジ２４を利用してケーブル１３及び引き込み線１４を端子部４６にネジ止めし（ケーブル１３及び引き込み線１４の先端には図示しない圧着端子が取り付けられている）、カバー２５を取り付ければ、端子台２１の組み立て作業、及び端子台２１を利用した感震リレー５の接続作業は完了となる。なお、上記取付状態において、支持壁５０は取付片２０を超えて設置板８の下側まで突出している。そして、支持壁５０の上面と設置板８の下面とが当接した状態にあり、支持壁５０の先端は入力端子１５とのネジ止め箇所Ｐ近傍にまで到達している（図７）。
【００１８】
また、主幹ブレーカ設置部６に主幹ブレーカ３０が設置されていると、仮組状態にある端子台２１を入力端子３５の前方に取り付けなければならないが、当該箇所に取付片２０はない。しかしながら、主幹ブレーカ３０は主幹ブレーカ３よりも一回り小型であるため、主幹ブレーカ３０の前側に設置板８が露出している（図９）。そこで、主幹ブレーカ設置部６に主幹ブレーカ３０が設置されている場合には、挟持溝４９により設置板８の前縁を挟持させつつ、接続部５１を入力端子３５に差し込んで接続することにより、端子台２１を主幹ブレーカ設置部６に取り付けることになる（図８）。なお、主幹ブレーカ設置部６への取付後の工程は上記工程と同様である。また、設置板８の前縁への取付状態においても、支持壁５０は設置板８の下側へ入り込んで設置板８の下面と当接しており、支持壁５０の先端は、上記取付片２０への取付状態以上に後方まで、すなわち入力端子３５とのネジ止め箇所を超えた位置まで突出している。
【００１９】
以上のような構成を有する分電盤１によれば、主幹ブレーカ設置部６を構成する設置板の前縁に、前方へ突出する取付片２０を設ける一方、取付片２０を上下から挟持可能な挟持溝４９を備えたケース部材２２に、主幹ブレーカ３の入力端子１５に接続可能な接続部５１と、ケーブル１３及び引き込み線１４を接続可能な端子部４６とを有する端子金具２３を保持させてなる端子台２１を設け、挟持溝４９により主幹ブレーカ設置部６に取り付けられた端子台２１を介して、主幹ブレーカ３の入力端子１５とケーブル１３及び引き込み線１４とを接続するようにした。したがって、たとえば端子として複数本の入線が行えないソルダレス端子が設けられたＪＩＳ互換性寸法のブレーカ等が主幹ブレーカとして設置されたとしても、感震リレー５を容易且つ好適に備えることができる。さらに、挟持溝４９により取付片２０を挟持させるだけで主幹ブレーカ設置部６に端子台２１を取り付けることができるため、分電盤１の設置に係る作業を非常に容易に行うことができる。
【００２０】
また、ケース部材２２に、挟持溝４９により取付片２０を挟持させた際、設置板８の下側まで突出して設置板８の下面に当接する支持壁５０を設けた。したがって、端子台２１の主幹ブレーカ設置部６への取付状態が安定し、端子部４６にケーブル１３及び引き込み線１４を接続する際、端子台２１が主幹ブレーカ設置部６から外れるような事態や、支持壁５０が壊損するような事態が起こりにくい。
【００２１】
さらに、設置板８に小型の主幹ブレーカ３０が設置され、当該主幹ブレーカ３０と設置板８の前縁との間に設置板８が露出している場合には、取付片２０に代えて、設置板８の露出箇所を挟持溝４９により挟持させることで、端子台２１を主幹ブレーカ設置部６に取付可能とした。そのため、主幹ブレーカ設置部６へ小型の主幹ブレーカ３０を設置した際にも、端子台２１を利用して主幹ブレーカ３０の入力端子３５とケーブル１３及び引き込み線１４とを接続することができる。すなわち、端子台２１の汎用性が高く、種々の主幹ブレーカに対応可能とすることができる。
【００２２】
なお、本発明の分電盤に係る構成は、上記実施形態の態様に何ら限定されるものではなく、端子台の構成や端子台の主幹ブレーカ設置部への設置に係る構成等について、本発明の趣旨を逸脱しない範囲で、必要に応じて適宜変更することができる。
【００２３】
たとえば、上記実施形態では電気機器としての感震リレーを分電盤の本体ケースに内蔵しているが、本体ケース外に感震リレーを設置することも当然可能であり、電気機器の設置位置は本体ケースの内外何れであってもよい。また、本発明は、感震リレー以外の電気機器、すなわち専用開閉器を介して他の電気機器（太陽光発電システム、電気温水器、自動火災報知設備等）が接続される分電盤についても、好適に採用することができる。
なお、言うまでもなく、主幹ブレーカとしてＪＩＳ互換性寸法のブレーカ以外のブレーカを採用することは可能である。
【００２４】
また、上記実施形態では、電気機器を感震リレーとしているため、端子台を主幹ブレーカの一次側に取り付けているが、電気機器の種類に応じては、端子台を主幹ブレーカの二次側に取り付けてもよい。
さらに、設置板の前縁のみならず、後縁に取付片を設けてもよいし、設置板の前縁や後縁に複数の取付片を設け、主幹ブレーカの種類や接続したい端子の位置に応じて端子台の取付位置を選択可能に構成することも可能である。
加えて、端子台のケース部材に設ける挟持部についても、上記挟持溝に限定されることはなく、上下方向に所定の間隔を隔てて突設された一対のリブにより挟持部を構成する等してもよい。
【符号の説明】
【００２５】
１・・分電盤、２・・基台、３、３０・・主幹ブレーカ、４・・分岐ブレーカ、５・・感震リレー（電気機器）、６・・主幹ブレーカ設置部、８・・設置板、１３・・ケーブル（第２のケーブル）、１４・・引き込み線（第１のケーブル）、１５、３５・・入力端子、２０・・取付片、２１・・端子台、２２・・ケース部材、２３・・端子金具、４６・・端子部、４９・・挟持溝（挟持部）、５０・・支持壁、５１・・接続部。
【図１】
2020054102.tif 000003
【図２】
2020054102.tif 000004
【図３】
2020054102.tif 000005
【図４】
2020054102.tif 000006
【図５】
2020054102.tif 000007
【図６】
2020054102.tif 000008
【図７】
2020054102.tif 000009
【図８】
2020054102.tif 000010
【図９】
2020054102.tif 000011